(57)【要約】【課題】観血式の血圧測定時における被検者と医療従事者の負担を軽減する。【解決手段】血圧計１０は、被検者２の血圧値を観血的に測定する。較正部１１は、血圧値の測定基準値を較正する。第１気圧センサ３１は、被検者２に装着される。第２気圧センサ３２は、所定の位置に固定される。差分取得部１２は、第１気圧センサ３１により検出された第１気圧値と第２気圧センサ３２により検出された第２気圧値の差分を取得する。判定部１３は、当該差分に基づいて、測定基準値の較正が必要かを判定する。【選択図】図１
2015136484.tif 000002
【特許請求の範囲】
【請求項１】
被検者の血圧値を観血的に測定する血圧計と、
前記血圧値の測定基準値を較正する較正部と、
前記被検者に装着されるように構成された第１気圧センサと、
所定の位置に固定された第２気圧センサと、
前記第１気圧センサにより検出された第１気圧値と前記第２気圧センサにより検出された第２気圧値の差分を取得する差分取得部と、
前記差分に基づいて、前記測定基準値の較正が必要かを判定する判定部と、
を備えている、血圧測定システム。
【請求項２】
前記較正が必要と前記判定部が判定した場合、前記較正部は、前記測定基準値を自動的に較正する、請求項１に記載の血圧測定システム。
【請求項３】
前記較正が必要と前記判定部が判定した場合にアラームを出力する報知部を備えている、請求項１または２に記載の血圧測定システム。
【請求項４】
前記第１気圧センサと前記第２気圧センサの少なくとも一方に隣接して設けられた温度センサを備えており、
前記判定部は、前記差分と前記温度センサにより検出された温度とに基づいて、前記較正が必要かを判定する、請求項１から３のいずれか一項に記載の血圧測定システム。
【請求項５】
前記第１気圧センサは、被検者の胸部に装着されるように構成されている、請求項１から４のいずれか一項に記載の血圧測定システム。
【発明の詳細な説明】
【技術分野】
【０００１】
本発明は、被検者の血圧値を観血的に測定するシステムに関する。
【背景技術】
【０００２】
被検者の血管内にカテーテルなどを挿入し、時々刻々と変化する血圧を連続的に測定する観血式血圧測定法が知られている（例えば、特許文献１を参照）。血管内で発生している圧力は、モニタリングラインを介してカテーテルに接続されたトランスデューサによって電気信号に変換される。血圧計は、当該電気信号に対応する血圧値や血圧波形を、医療従事者などに表示する。
【先行技術文献】
【特許文献】
【０００３】
【特許文献１】特開平４−２６９９３８号公報
【発明の概要】
【発明が解決しようとする課題】
【０００４】
観血式の血圧測定においては、測定の基準値を定めるためのゼロ点較正と呼ばれる処理が必須である。ゼロ点較正は、トランスデューサを基準点に配置し、トランスデューサに加わる圧力をゼロにしたとき（カテーテルを大気開放したとき）に、血圧値に対する電気信号が測定基準値（例えば０Ｖ）になるように行なわれる。
【０００５】
ゼロ点較正は、被検者が変わるごとに行なわれる。しかしながら、同一の被検者に対する測定中においても、様々な要因で上記の測定基準値は変動（ドリフト）する。最も大きな変動要因は、被検者の体位変換などにより、血圧測定位置とトランスデューサの位置関係（相対高度）が変化することである。測定基準値が変動すると正確な血圧測定を遂行できないため、再度ゼロ点較正を行なう必要がある。ゼロ点較正に際しては、トランスデューサが接続された三方活栓を大気開放状態にする必要がある。被検者の体位が変わる度にゼロ点較正を行なうことは、被検者と医療従事者の双方にとって負担になっている。
【０００６】
よって本発明は、観血式の血圧測定時における被検者と医療従事者の負担を軽減することを目的とする。
【課題を解決するための手段】
【０００７】
上記の目的を達成するために本発明がとりうる一態様は、血圧測定システムであって、
被検者の血圧値を観血的に測定する血圧計と、
前記血圧値の測定基準値を較正する較正部と、
前記被検者に装着されるように構成された第１気圧センサと、
所定の位置に固定された第２気圧センサと、
前記第１気圧センサにより検出された第１気圧値と前記第２気圧センサにより検出された第２気圧値の差分を取得する差分取得部と、
前記差分に基づいて、前記測定基準値の較正が必要かを判定する判定部と、
を備えている。
【０００８】
このような構成によれば、被検者に装着された第１気圧センサにより検出された第１気圧値と、位置が固定された第２気圧センサにより検出された第２気圧値の差分がモニタされるため、被検者の体位変換に起因する測定基準値の変動のみを把握でき、的確な対応が可能となる。また、血圧測定に支障がない程度の体位変換であれば、較正の必要がないと判定するようにできる。したがって、三方活栓の大気開放を伴うゼロ点較正の機会を減らすことができ、観血式の血圧測定時における被検者と医療従事者の負担を軽減できる。
【０００９】
前記較正が必要と前記判定部が判定した場合、前記較正部は、前記測定基準値を自動的に較正する構成としてもよい。
【００１０】
このような構成によれば、測定基準値の較正が自動化され、三方活栓の大気開放を伴うゼロ点較正を行なう必要性をより抑制できる。したがって、観血式の血圧測定時における被検者と医療従事者の負担をさらに軽減できる。
【００１１】
前記較正が必要と前記判定部が判定した場合にアラームを出力する報知部を備えている構成としてもよい。
【００１２】
このような構成によれば、測定基準値の較正を手動で行う場合において、その必要性をより確実に医療従事者に報知できる。また測定基準値の較正が較正部により自動的に行なわれる場合においては、医療従事者は較正処理が行なわれている状況を（すなわち定常の測定状態ではないことを）容易に把握できる。したがって、観血式の血圧測定時における医療従事者の負担をさらに軽減できる。
【００１３】
前記第１気圧センサと前記第２気圧センサの少なくとも一方に隣接して設けられた温度センサを備えている構成としてもよい。この場合、前記判定部は、前記差分と前記温度センサにより検出された温度とに基づいて、前記較正が必要かを判定する。
【００１４】
血圧計における測定基準値は、測定中における温度変化によっても変動する。上記の構成によれば、測定中における周囲の温度変化も加味して較正の要否が判定されるため、より正確な判定結果を提供できる。したがって、観血式の血圧測定時における被検者と医療従事者の負担をさらに軽減できる。
【００１５】
前記第１気圧センサは、被検者の胸部に装着される構成としてもよい。
【００１６】
このような構成によれば、差分取得部により取得される第１気圧値と第２気圧値の差分は、より発明の趣旨に沿ったものとなり、較正の要否に係る判定の正確性が向上する。したがって、観血式の血圧測定時における被検者と医療従事者の負担をさらに軽減できる。
【図面の簡単な説明】
【００１７】
【図１】本発明の一実施形態に係る血圧測定システムを模式的に示す図である。
【発明を実施するための形態】
【００１８】
本発明に係る実施形態の例を添付の図面を参照しつつ以下詳細に説明する。図１は、本発明の一実施形態に係る血圧測定システム１の構成を模式的に示す図である。なお同図においては、各部材を認識可能な大きさとするために縮尺を適宜変更している。
【００１９】
血圧測定システム１は、血圧計１０を備えている。血圧計１０は、被検者２の血圧値を観血的に測定する。
【００２０】
図示の例は、動脈血圧の測定を行なう場合であり、被検者２の橈骨動脈にカテーテル（動脈針）２１が挿入されている。静脈血圧の測定を行なう場合は、スワンガンツカテーテルを用いてもよい。トランスデューサ２２は、被検者２の心臓の高さ（胸厚の半分に対応する位置の高さ）に固定される。カテーテル２１とトランスデューサ２２は、モニタリングライン２３によって接続されている。
【００２１】
モニタリングライン２３は、第１チューブ２３ａ、第２チューブ２３ｂ、第３チューブ２３ｃ、三方活栓２３ｄ、および輸液ボトル２３ｅを含んでいる。第１チューブ２３ａは、カテーテル２１と三方活栓２３ｄを接続している。第２チューブ２３ｂは、トランスデューサ２２と三方活栓２３ｄを接続している。第３チューブ２３ｃは、輸液ボトル２３ｅと三方活栓２３ｄを接続している。輸液ボトル２３ｅには、ヘパリン入り生理食塩水が収容されている。三方活栓２３ｄを全て開放することにより、第１チューブ２３ａ、第２チューブ２３ｂ、および第３チューブ２３ｃは、ヘパリン入り生理食塩水で満たされる。
【００２２】
トランスデューサ２２は、ヘパリン入り生理食塩水を通じて伝達される被検者２の血管内の圧力に対応する電気信号を出力する。血圧計１０は、当該電気信号に対応する血圧値や血圧波形を、医療従事者などのユーザに表示する。
【００２３】
血圧測定システム１は、較正部１１を備えている。較正部１１は、血圧計１０が測定する血圧値の測定基準値を較正するように構成されている。血圧の測定開始にあたって、血圧計１０の初期ゼロ点較正が行なわれる。具体的には、カテーテル２１を待機開放状態にしてトランスデューサ２２にかかる圧力をゼロにする。較正部１１は、この状態において血圧計１０に入力される電気信号が基準値（例えば０Ｖ）となるように較正を行なう。
【００２４】
血圧測定システム１は、第１気圧センサ３１を備えている。第１気圧センサ３１は、被検者２に装着されるように構成されている。第１気圧センサ３１は、装着された位置における気圧（第１気圧値）を検出し、第１気圧値に対応する信号を出力するように構成されている。
【００２５】
血圧測定システム１は、第２気圧センサ３２を備えている。第２気圧センサ３２は、所定の位置に固定されている。第２気圧センサ３２は、当該所定の位置における気圧（第２気圧値）を検出し、第２気圧値に対応する信号を出力するように構成されている。
【００２６】
血圧測定システム１は、差分取得部１２を備えている。差分取得部１２は、第１気圧センサ３１により検出された第１気圧値と第２気圧センサ３２により検出された第２気圧値の差分を取得するように構成されている。
【００２７】
血圧測定システム１は、判定部１３を備えている。判定部１３は、差分取得部１２が取得した上記の差分に基づいて、血圧計１０の測定基準値の較正が必要かを判定するように構成されている。例えば、測定開始時における第１気圧値と第２気圧値の差分の値が所定値以上変動した場合、較正が必要と判定される。当該所定値は、正確な血圧値の測定遂行に支障を生じる程度の値に定められる。換言すると、被検者２の体位が変化しても差分値の変化が所定値未満であれば、判定部１３は、較正が必要と判定しない。
【００２８】
単一の気圧センサを用いる場合、測定中における気圧検出値の変化が、大気圧の変化に起因するものなのか、被検者の体位変換に起因するものなのかを、検出値のみから把握することはできない。しかしながら本実施形態の構成によれば、被検者２に装着された第１気圧センサ３１により検出された第１気圧値と、位置が固定された第２気圧センサ３２により検出された第２気圧値の差分がモニタされるため、被検者２の体位変換に起因する測定基準値の変動のみを把握でき、的確な対応が可能となる。また、血圧測定に支障がない程度の体位変換であれば、較正の必要がないと判定するようにできる。したがって、三方活栓２３ｄの大気開放を伴うゼロ点較正の機会を減らすことができ、観血式の血圧測定時における被検者と医療従事者の負担を軽減できる。
【００２９】
較正部１１は、ユーザが手動で操作可能なダイヤルやスイッチを通じて測定基準値の較正が遂行されるように構成されうる。一方、図１に破線で示すように、較正部１１と判定部１３を通信可能に接続してもよい。この場合、判定部１３は、測定基準値の較正要否を示す信号を、較正部１１へ出力するように構成される。較正部１１は、較正が必要と判定部１３が判定した場合、測定基準値を自動的に構成するように構成される。例えば、差分取得部１２が取得した第１気圧値と第２気圧値の差分値と測定基準値の補正量の関係を、予めテーブルや関数として較正部１１に格納しておく。較正が必要と判定部１３が判定した場合、較正部１１は、差分取得部１２が取得した差分値を参照し、当該テーブルや関数に基づいて測定基準値の補正量を決定する。
【００３０】
このような構成によれば、測定基準値の較正が自動化され、三方活栓２３ｄの大気開放を伴うゼロ点較正を行なう必要性をより抑制できる。したがって、観血式の血圧測定時における被検者と医療従事者の負担をさらに軽減できる。
【００３１】
図１に破線で示すように、血圧測定システム１は、報知部１４を備えてもよい。この場合、報知部１４は、較正が必要と判定部１３が判定した場合にアラームを出力するように構成される。
【００３２】
このような構成によれば、測定基準値の較正を手動で行う場合において、その必要性をより確実に医療従事者に報知できる。また測定基準値の較正が較正部１１により自動的に行なわれる場合においては、医療従事者は較正処理が行なわれている状況を（すなわち定常の測定状態ではないことを）容易に把握できる。したがって、観血式の血圧測定時における医療従事者の負担をさらに軽減できる。
【００３３】
図１に破線で示すように、血圧測定システム１は、温度センサ１５を備えてもよい。この場合、温度センサ１５は、第１気圧センサ３１と第２気圧センサ３２の少なくとも一方に隣接して設けられる。図１に示す例においては、温度センサ１５は、第２気圧センサ３２の近傍に配置されている。これに加えてあるいは代えて、温度センサ１５は、第１気圧センサ３１の近傍に配置されてもよい。本例における判定部１３は、差分取得部１２により取得された第１気圧値と第２気圧値の差分と、温度センサ１５により検出された温度とに基づいて、測定基準値の較正が必要かを判定するように構成される。
【００３４】
血圧計１０における測定基準値は、測定中における温度変化によっても変動する。温度センサ１５による検出結果は、測定基準値が温度変化により変動した可能性を示唆しうる。上記の構成によれば、測定中における周囲の温度変化も加味して較正の要否が判定されるため、より正確な判定結果を提供できる。したがって、観血式の血圧測定時における被検者と医療従事者の負担をさらに軽減できる。
【００３５】
差分取得部１２が第１気圧値と第２気圧値の差分を取得でき、当該差分に基づいて判定部１３が較正の要否を判定できれば、第１気圧センサ３１の装着位置は特に限定されない。しかしながら、図１に示すように、第１気圧センサ３１は被検者２の胸部２ａに配置されることが好ましい。トランスデューサ２２は被検者２の心臓の高さに固定されているため、第１気圧センサ３１により検出される第１気圧値は、被検者２の心臓の近傍の気圧値であることが好ましいからである。
【００３６】
このような構成によれば、差分取得部１２により取得される第１気圧値と第２気圧値の差分は、より本発明の趣旨に沿ったものとなり、較正の要否に係る判定の正確性が向上する。したがって、観血式の血圧測定時における被検者と医療従事者の負担をさらに軽減できる。
【００３７】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００３８】
図１に示した例においては、較正部１１、差分取得部１２、判定部１３、および報知部１４は、血圧計１０の内部に設けられている。しかしながら、これらの少なくとも１つは、血圧計１０とは別体の装置の内部に設けられてもよい。
【００３９】
血圧計１０は、必ずしも独立した装置であることを要しない。心電図などの生体情報を取得・表示する生体情報モニタ装置において実現される一機能として提供されてもよい。
【符号の説明】
【００４０】
１：血圧測定システム、２：被検者、２ａ：被検者の胸部、１０：血圧計、１１：較正部、１２：差分取得部、１３：判定部、１４：報知部、１５：温度センサ、３１：第１気圧センサ、３２：第２気圧センサ
【図１】
2015136484.tif 000003